(57)【要約】【課題】コンプレストモード時にも制御チャネルの検出精度を向上させる。【解決手段】移動機から送信され、E-DPCCH逆拡散/RAKE合成部１にて逆拡散されたE-DPCCHの相関値を相関値算出部２にて算出し、E-DPCCH信頼度算出部４にて、逆拡散されたE-DPCCHを相関値に基づいて再符号化し、E-DPCCHのフレームがコンプレストフレームではないと判断した場合、再符号化されたE-DPCCHと逆拡散されたE-DPCCHとをシンボル毎に比較し、E-DPCCHのフレームがコンプレストフレームであると判断した場合、再符号化されたE-DPCCHと逆拡散されたE-DPCCHとを送信ギャップを除いたシンボルについてシンボル毎に比較し、比較した結果を信頼度情報としてE-DPCCH信頼度算出部４から出力し、E-DPCCH復号処理部３は、信頼度情報に基づいてE-DPCCHの検出を判断する。【選択図】図２
2009065512.tif 000002
【特許請求の範囲】
【請求項１】
制御チャネルとデータチャネルとが符号化及び拡散技術によって多重化された通信信号を移動機から受信し、前記制御チャネルと前記データチャネルとを逆拡散して復号化する無線基地局装置であって、
逆拡散された前記制御チャネルの相関値を算出する相関値算出部と、
前記逆拡散された制御チャネルを前記相関値算出部にて算出された相関値を基に、再符号化し、
前記制御チャネルのフレームがコンプレストフレームではないと判断した場合、前記再符号化された制御チャネルと前記逆拡散された制御チャネルとをシンボル毎に比較し、
前記制御チャネルのフレームがコンプレストフレームであると判断した場合、前記再符号化された制御チャネルと前記逆拡散された制御チャネルとを、送信ギャップを除いたシンボルについてシンボル毎に比較し、
比較した結果を信頼度情報として出力する信頼度算出部と、
前記信頼度情報に基づいて前記制御チャネルを検出したかどうかを判断する制御チャネル検出判定部とを有する無線基地局装置。
【請求項２】
請求項１に記載の無線基地局装置において、
前記制御チャネル検出判定部は、前記相関値算出部にて算出された相関値を用いて信号対干渉雑音電力比を算出し、前記信頼度情報と信号対干渉雑音電力比とに基づいて前記制御チャネルを検出したかどうかを判断することを特徴とする無線基地局装置。
【請求項３】
請求項２に記載の無線基地局装置において、
前記制御チャネル検出判定部は、前記信号対干渉雑音電力比が前記制御チャネルを検出したかどうかの判断基準となるＳＩＲ閾値以上である場合、且つ、前記制御チャネルのフレームがコンプレストフレームではなく、前記信頼度情報が、前記制御チャネルを検出したかどうかの判断基準となる第１の検出閾値以上である場合、または、前記制御チャネルのフレームがコンプレストフレームであり、前記信頼度情報が、前記制御チャネルを検出したかどうかの判断基準となる第２の検出閾値以上である場合に、前記制御チャネルを検出したと判断することを特徴とする無線基地局装置。
【請求項４】
請求項３に記載の無線基地局装置において、
前記第２の検出閾値は、前記第１の検出閾値に基づいて算出されることを特徴とする無線基地局装置。
【請求項５】
制御チャネルとデータチャネルとが符号化及び拡散技術によって多重化された通信信号を移動機から受信し、前記制御チャネルと前記データチャネルとを逆拡散して復号化する無線基地局装置であって、
逆拡散された前記制御チャネルの相関値を算出する相関値算出部と、
前記逆拡散された制御チャネルを前記相関値算出部にて算出された相関値を基に、再符号化し、
前記制御チャネルのフレームがコンプレストフレームではないと判断した場合、前記再符号化された制御チャネルと前記逆拡散された制御チャネルとをシンボル毎に比較し、
前記制御チャネルのフレームがコンプレストフレームであると判断した場合、前記再符号化された制御チャネルと前記逆拡散された制御チャネルとを、送信ギャップを除いたシンボルについてシンボル毎に比較し、
比較した結果を信頼度情報として出力する信頼度算出部と、
前記信頼度情報に基づいて前記データチャネルの復号処理を省略するデータチャネル復号処理部とを有する無線基地局装置。
【請求項６】
請求項５に記載の無線基地局装置において、
前記データチャネル復号処理部は、前記制御チャネルのフレームがコンプレストフレームではなく、前記信頼度情報が第１の復号処理閾値未満である場合、または、前記制御チャネルのフレームがコンプレストフレームであり、前記信頼度情報が第２の復号処理閾値未満である場合に、前記データチャネルの復号処理を省略することを特徴とする無線基地局装置。
【請求項７】
請求項６に記載の無線基地局装置において、
前記第２の復号処理閾値は、前記第１の復号処理閾値に基づいて算出されることを特徴とする無線基地局装置。
【請求項８】
請求項１乃至７のいずれか１項に記載の無線基地局装置において、
前記信頼度算出部は、比較したシンボルの数に対する一致したシンボルの数の割合を算出し、算出した割合を信頼度情報として出力することを特徴とする無線基地局装置。
【請求項９】
請求項１乃至７のいずれか１項に記載の無線基地局装置において、
前記信頼度算出部は、比較して一致したシンボルの数を信頼度情報として出力することを特徴とする無線基地局装置。
【請求項１０】
移動機から送信された、制御チャネルとデータチャネルとが符号化及び拡散技術によって多重化された通信信号について前記制御チャネルと前記データチャネルとを逆拡散して復号化する復号処理方法であって、
逆拡散された前記制御チャネルの相関値を算出する処理と、
前記逆拡散された制御チャネルを前記相関値算出部にて算出された相関値を基に、再符号化する処理と、
前記制御チャネルのフレームがコンプレストフレームではないと判断した場合、前記再符号化された制御チャネルと前記逆拡散された制御チャネルとをシンボル毎に比較する処理と、
前記制御チャネルのフレームがコンプレストフレームであると判断した場合、前記再符号化された制御チャネルと前記逆拡散された制御チャネルとを、送信ギャップを除いたシンボルについてシンボル毎に比較する処理と、
比較した結果を信頼度情報として出力する処理と、
前記信頼度情報に基づいて前記データチャネルの復号処理を省略する処理とを有する復号処理方法。
【請求項１１】
請求項１０に記載の復号処理方法において、
前記信頼度情報に基づいて前記制御チャネルを検出したかどうかを判断する処理と、
前記制御チャネルを検出したと判断した場合、当該制御チャネルを復号化する処理と、
前記信頼度情報と前記復号化された制御チャネルとに基づいて前記データチャネルを復号化する処理とを有することを特徴とする復号処理方法。
【請求項１２】
請求項１０または請求項１１に記載の復号処理方法において、
前記制御チャネルのフレームがコンプレストフレームではなく、前記信頼度情報が第１の復号処理閾値未満である場合、または、前記制御チャネルのフレームがコンプレストフレームであり、前記信頼度情報が第２の復号処理閾値未満である場合に、前記データチャネルの復号処理を省略する処理を有することを特徴とする復号処理方法。
【請求項１３】
請求項１２に記載の復号処理方法において、
前記第１の復号処理閾値に基づいて前記第２の復号処理閾値を算出する処理を有することを特徴とする復号処理方法。
【請求項１４】
請求項１１乃至１３のいずれか１項に記載の復号処理方法において、
前記算出された相関値を用いて信号対干渉雑音電力比を算出する処理と、
前記信頼度情報と前記信号対干渉雑音電力比とに基づいて前記制御チャネルを検出したかどうかを判断する処理とを有することを特徴とする復号処理方法。
【請求項１５】
請求項１４に記載の無線基地局装置において、
前記信号対干渉雑音電力比が前記制御チャネルを検出したかどうかの判断基準となるＳＩＲ閾値以上である場合、且つ、前記制御チャネルのフレームがコンプレストフレームではなく、前記信頼度情報が、前記制御チャネルを検出したかどうかの判断基準となる第１の検出閾値以上である場合、または、前記制御チャネルのフレームがコンプレストフレームであり、前記信頼度情報が、前記制御チャネルを検出したかどうかの判断基準となる第２の検出閾値以上である場合に、前記制御チャネルを検出したと判断する処理を有することを特徴とする復号処理方法。
【請求項１６】
請求項１５に記載の復号処理方法において、
前記第１の検出閾値に基づいて前記第２の検出閾値を算出する処理を有することを特徴とする復号処理方法。
【請求項１７】
移動機から送信された、制御チャネルとデータチャネルとが符号化及び拡散技術によって多重化された通信信号について前記制御チャネルと前記データチャネルとを逆拡散して復号化するためにコンピュータに実行させるプログラムであって、
逆拡散された前記制御チャネルの相関値を算出する手順と、
前記逆拡散された制御チャネルを前記相関値算出部にて算出された相関値を基に、再符号化する手順と、
前記制御チャネルのフレームがコンプレストフレームではないと判断した場合、前記再符号化された制御チャネルと前記逆拡散された制御チャネルとをシンボル毎に比較する手順と、
前記制御チャネルのフレームがコンプレストフレームであると判断した場合、前記再符号化された制御チャネルと前記逆拡散された制御チャネルとを、送信ギャップを除いたシンボルについてシンボル毎に比較する手順と、
比較した結果を信頼度情報として出力する手順と、
前記信頼度情報に基づいて前記データチャネルの復号処理を省略する手順とをコンピュータに実行させるプログラム。
【請求項１８】
請求項１７に記載のプログラムにおいて、
前記信頼度情報に基づいて前記制御チャネルを検出したかどうかを判断する手順と、
前記制御チャネルを検出したと判断された場合、当該制御チャネルを復号化する手順と、
前記信頼度情報と前記復号化された制御チャネルとに基づいて前記データチャネルを復号化する手順とをコンピュータに実行させることを特徴とするプログラム。
【請求項１９】
請求項１７または請求項１８に記載のプログラムにおいて、
前記制御チャネルのフレームがコンプレストフレームではなく、前記信頼度情報が第１の復号処理閾値未満である場合、または、前記制御チャネルのフレームがコンプレストフレームであり、前記信頼度情報が第２の復号処理閾値未満である場合に、前記データチャネルの復号処理を省略する手順をコンピュータに実行させることを特徴とするプログラム。
【請求項２０】
請求項１９に記載のプログラムにおいて、
前記第１の復号処理閾値に基づいて前記第２の復号処理閾値を算出する処理をコンピュータに実行させることを特徴とするプログラム。
【請求項２１】
請求項１８乃至２０のいずれか１項に記載のプログラムにおいて、
前記算出された相関値を用いて信号対干渉雑音電力比を算出する手順と、
前記信頼度情報と前記信号対干渉雑音電力比とに基づいて前記制御チャネルを検出したかどうかを判断する手順とをコンピュータに実行させることを特徴とするプログラム。
【請求項２２】
請求項２１に記載のプログラムにおいて、
前記信号対干渉雑音電力比が前記制御チャネルを検出したかどうかの判断基準となるＳＩＲ閾値以上である場合、且つ、前記制御チャネルのフレームがコンプレストフレームではなく、前記信頼度情報が、前記制御チャネルを検出したかどうかの判断基準となる第１の検出閾値以上である場合、または、前記制御チャネルのフレームがコンプレストフレームであり、前記信頼度情報が、前記制御チャネルを検出したかどうかの判断基準となる第２の検出閾値以上である場合に、前記制御チャネルを検出したと判断する手順をコンピュータに実行させることを特徴とするプログラム。
【請求項２３】
請求項２２に記載のプログラムにおいて、
前記第１の検出閾値に基づいて前記第２の検出閾値を算出する手順をコンピュータに実行させることを特徴とするプログラム。
【発明の詳細な説明】
【技術分野】
【０００１】
本発明は、移動機との間にて無線通信を行う無線基地局装置、復号処理方法及びプログラムに関する。
【背景技術】
【０００２】
符号分割多元接続技術を用いたW-CDMA（Wideband - Code Division Multiple Access）通信における無線インタフェースに用いられるチャネルは、物理チャネル、トランスポートチャネル及び論理チャネルの３階層で構成される。そのうち物理チャネルに属するDPCH（Dedicated Physical Channel）は、上り（UpLink）/下り（DownLink）の双方向のチャネルであり、移動機（UE:User Equipment）に対して個別に割り当てられるものである。
【０００３】
EUDCH（Enhanced Uplink Dedicated Channel）仕様のDPCHであるE-DPCHは、物理レイヤの制御情報を伝送するための制御チャネルであるE-DPCCH（Dedicated Physical Control Channel）と、上位レイヤのデータ送信のためのデータチャネルであるE-DPDCH（Dedicated Physical Data Channel）とから構成される。E-DPDCHの復号処理には、E-DPCCHが必要である。
【０００４】
E-DPCCHは、UEから無線基地局装置（Node-B）に対して、常時送信される信号ではないため、Node-Bでは、E-DPCCHを受信したか否かの判定をするE-DPCCH検出処理が必要となる。この検出処理の方法としては、E-DPCCHの相関値を常時算出し、算出された相関値に基づいてSIR（Signal to Interference Ratio：信号対干渉雑音電力比）を算出し、算出されたSIRが閾値を超えた場合にE-DPCCHを検出したと判断する方法が考えられている（例えば、非特許文献１参照。）。
【０００５】
また、DPDCHを用いて伝送されたデータを復号する場合、DPCCHを用いて移動機から送信されたIDに基づいて、基地局にて復号を実施する技術が考えられている（例えば、特許文献１参照。）。
【０００６】
上述した技術においてE-DPCCHやIDが検出された場合、E-DPCCHやIDに伴うE-DPDCHが復号化される。その際、E-DPDCHの復号化処理に必要なリソースが確保される。ここで、E-DPCCHやIDの誤検出が行われてしまった場合であっても、その誤検出されたE-DPCCHに伴うE-DPDCHを復号化処理するためのリソースが確保される。
【非特許文献１】3GPP：R4AH-05060（E-DPCCH simulation results, TSG-RAN Working Group 4 Meeting on MBMS & EUL, Sophia-Antipolis, France, 4-6 April 2005）
【特許文献１】特開２００４−２６０５６１号公報
【発明の開示】
【発明が解決しようとする課題】
【０００７】
しかし、E-DPCCHではPilot信号のような既知信号は送受信されない。そのため、E-DPCCHの信頼度を判断することができず、E-DPCCHの検出精度を向上することは一般的に困難とされている。
【０００８】
とりわけ、E-DPCCHを誤検出することにより、Node-B内で不要なE-DPDCHの復号処理を実施してしまう。それにより、復号処理に使用するベースバンドリソースを無駄に使用してしまうという問題点がある。また、E-DPCCHの誤検出の結果、不要なE-HICH（E-DCH HARQ Indicator Channel）を用いて伝送される信号を送信してしまう。それにより、伝送路空間上に不要な電波を送信してしまうという問題点がある。従って、できるだけ、E-DPCCHの検出精度を高くすることが望まれている。
【０００９】
また、特許文献１に記載された技術においては、基地局にて受信したDPCCHを用いて送信されてきたデータが信頼できるものであるかどうかを確認する手段が存在せず、誤って検出した場合、上述したものと同様に無駄な復号処理が行われてしまうという問題点がある。
【００１０】
上述した問題は、コンプレストモード（Compressed Mode）時においても問題となる。
【００１１】
ここで、コンプレストモードとは、無線通信を行うUMTS(Universal Mobile Telecommunications System)網やGSM(Global System for Mobile communications)網において、移動局が移動することにより、当該移動局が通信を行う無線基地局が変更になる際に用いられる技術であるハンドオーバーを実現するためのモードである。具体的には、移動機にて情報を定期的に圧縮して送信することにより、データ送信を行わない送信ギャップ（空き時間）を作り出し、そのギャップの間にて受信周波数を切り替えて異なる他の周波数帯域の伝搬状況を測定するためのモードである。
【００１２】
このコンプレストモード時においても、E-DPCCH検出精度の向上を考慮する必要がある。また、コンプレストモード時においても、リソースの有効活用を実現することを考慮する必要がある。
【００１３】
本発明は、上述した課題を解決する無線基地局装置、復号処理方法及びプログラムを提供することを目的とする。
【課題を解決するための手段】
【００１４】
上記目的を達成するために本発明は、
制御チャネルとデータチャネルとが符号化及び拡散技術によって多重化された通信信号を移動機から受信し、前記制御チャネルと前記データチャネルとを逆拡散して復号化する無線基地局装置であって、
逆拡散された前記制御チャネルの相関値を算出する相関値算出部と、
前記逆拡散された制御チャネルを前記相関値算出部にて算出された相関値を基に、再符号化し、
前記制御チャネルのフレームがコンプレストフレームではないと判断した場合、前記再符号化された制御チャネルと前記逆拡散された制御チャネルとをシンボル毎に比較し、
前記制御チャネルのフレームがコンプレストフレームであると判断した場合、前記再符号化された制御チャネルと前記逆拡散された制御チャネルとを、送信ギャップを除いたシンボルについてシンボル毎に比較し、
比較した結果を信頼度情報として出力する信頼度算出部と、
前記信頼度情報に基づいて前記制御チャネルを検出したかどうかを判断する制御チャネル検出判定部とを有する。
【００１５】
また、制御チャネルとデータチャネルとが符号化及び拡散技術によって多重化された通信信号を移動機から受信し、前記制御チャネルと前記データチャネルとを逆拡散して復号化する無線基地局装置であって、
逆拡散された前記制御チャネルの相関値を算出する相関値算出部と、
前記逆拡散された制御チャネルを前記相関値算出部にて算出された相関値を基に、再符号化し、
前記制御チャネルのフレームがコンプレストフレームではないと判断した場合、前記再符号化された制御チャネルと前記逆拡散された制御チャネルとをシンボル毎に比較し、
前記制御チャネルのフレームがコンプレストフレームであると判断した場合、前記再符号化された制御チャネルと前記逆拡散された制御チャネルとを、送信ギャップを除いたシンボルについてシンボル毎に比較し、
比較した結果を信頼度情報として出力する信頼度算出部と、
前記信頼度情報に基づいて前記データチャネルの復号処理を省略するデータチャネル復号処理部とを有する。
【００１６】
また、移動機から送信された、制御チャネルとデータチャネルとが符号化及び拡散技術によって多重化された通信信号について前記制御チャネルと前記データチャネルとを逆拡散して復号化する復号処理方法であって、
逆拡散された前記制御チャネルの相関値を算出する処理と、
前記逆拡散された制御チャネルを前記相関値算出部にて算出された相関値を基に、再符号化する処理と、
前記制御チャネルのフレームがコンプレストフレームではないと判断した場合、前記再符号化された制御チャネルと前記逆拡散された制御チャネルとをシンボル毎に比較する処理と、
前記制御チャネルのフレームがコンプレストフレームであると判断した場合、前記再符号化された制御チャネルと前記逆拡散された制御チャネルとを、送信ギャップを除いたシンボルについてシンボル毎に比較する処理と、
比較した結果を信頼度情報として出力する処理と、
前記信頼度情報に基づいて前記データチャネルの復号処理を省略する処理とを有する。
【００１７】
また、移動機から送信された、符号化及び拡散技術によってデータチャネルと多重化された制御チャネルを逆拡散及び復号化して検出するためにコンピュータに実行させるプログラムであって、
逆拡散された前記制御チャネルの相関値を算出する手順と、
前記逆拡散された制御チャネルを前記相関値を基に、再符号化する手順と、
前記制御チャネルのフレームがコンプレストフレームであるかどうかを判断する手順と、
前記制御チャネルのフレームがコンプレストフレームではないと判断した場合、前記再符号化された制御チャネルと前記逆拡散された制御チャネルとをシンボル毎に比較する手順と、
前記制御チャネルのフレームがコンプレストフレームであると判断した場合、前記再符号化された制御チャネルと前記逆拡散された制御チャネルとを、送信ギャップを除いたシンボルについてシンボル毎に比較する手順と、
比較した結果を信頼度情報として出力する手順と、
前記信頼度情報に基づいて前記制御チャネルを検出したかどうかを判断する手順とをコンピュータに実行させる。
【００１８】
また、移動機から送信された、制御チャネルとデータチャネルとが符号化及び拡散技術によって多重化された通信信号について前記制御チャネルと前記データチャネルとを逆拡散して復号化するためにコンピュータに実行させるプログラムであって、
逆拡散された前記制御チャネルの相関値を算出する手順と、
前記逆拡散された制御チャネルを前記相関値算出部にて算出された相関値を基に、再符号化する手順と、
前記制御チャネルのフレームがコンプレストフレームではないと判断した場合、前記再符号化された制御チャネルと前記逆拡散された制御チャネルとをシンボル毎に比較する手順と、
前記制御チャネルのフレームがコンプレストフレームであると判断した場合、前記再符号化された制御チャネルと前記逆拡散された制御チャネルとを、送信ギャップを除いたシンボルについてシンボル毎に比較する手順と、
比較した結果を信頼度情報として出力する手順と、
前記信頼度情報に基づいて前記データチャネルの復号処理を省略する手順とをコンピュータに実行させる。
【発明の効果】
【００１９】
以上説明したように本発明においては、移動機から受信した制御チャネルとデータチャネルとが符号化及び拡散技術によって多重化された通信信号を逆拡散し、逆拡散された制御チャネルの相関値を算出し、相関値を基に、逆拡散された制御チャネルを再符号化し、制御チャネルのフレームがコンプレストフレームではないと判断した場合、再符号化された制御チャネルと逆拡散された制御チャネルとをシンボル毎に比較し、また、制御チャネルのフレームがコンプレストフレームであると判断した場合、再符号化された制御チャネルと逆拡散された制御チャネルとを、送信ギャップを除いたシンボルについてシンボル毎に比較し、それらの比較結果に基づいて制御チャネルを検出したかどうかを判断する構成としたため、コンプレストモード時にも制御チャネルの検出精度を向上させることができる。
【００２０】
また、移動機から受信した制御チャネルとデータチャネルとが符号化及び拡散技術によって多重化された通信信号を逆拡散し、逆拡散された制御チャネルの相関値を算出し、相関値を基に、逆拡散された制御チャネルを再符号化し、制御チャネルのフレームがコンプレストフレームではないと判断した場合、再符号化された制御チャネルと逆拡散された制御チャネルとをシンボル毎に比較し、また、制御チャネルのフレームがコンプレストフレームであると判断した場合、再符号化された制御チャネルと逆拡散された制御チャネルとを、送信ギャップを除いたシンボルについてシンボル毎に比較し、それらの比較結果に基づいてデータチャネルの復号処理を省略する構成としたため、コンプレストモード時にも復号処理に必要なリソースを効率よく利用することができる。
【発明を実施するための最良の形態】
【００２１】
本発明の無線基地局装置は、制御チャネルであるE-DPCCHの信頼度の判定を、逆拡散された当該E-DPCCHをその相関値に基づいて再符号化したものと受信した当該E-DPCCHとを比較し、それぞれが有するシンボル数が一致する数または割合で行うことを特徴とする。その結果を用いて、データチャネルであるE-DPDCHの復号処理を行う。
【００２２】
ここで、通常の動作モード（Mode）であるノーマルモード（Normal Mode）時の動作とハンドオーバー技術におけるコンプレストモード（Compressed Mode）時の動作とを考慮することを特徴とする。
【００２３】
以下に、本発明の実施の形態について図面を参照して説明する。ここでは、無線基地局装置が、W-CDMAの無線基地局装置である場合を例に挙げて説明する。
【００２４】
図１は、本発明の無線基地局装置の実施の一形態を示す図である。
【００２５】
図１に示すように、無線基地局装置３００には、アンテナ３０１と、AMP３０２と、無線変調部３０３とが設けられている。
【００２６】
アンテナ３０１は、移動機との間において無線信号を送受信するためのものである。AMP３０２は、アンテナ３０１を介して移動機との間にて送受信される信号を増幅する無線増幅装置である。無線変調部３０３は、移動機からアンテナ３０１及びAMP３０２を介して受信された上り信号を復調してRNC/IP網へ送信する。また、RNC/IP網から受信された下り信号を変調して、AMP３０２へ出力する。
【００２７】
さらに、無線変調部３０３には、TRX３３１と、ベースバンド信号処理部３３２と、IPインタフェース部３３３とが設けられている。
【００２８】
TRX３３１は、無線信号を送受信する無線部である。ベースバンド信号処理部３３２は、送受信される信号について変調/復調や、所定の処理を行う。IPインタフェース部３３３は、無線基地局装置３００に接続された無線基地局制御装置であるRNC及びIP網との間にて信号を送受信するためのインタフェース機能を有する。
【００２９】
図２は、図１に示したベースバンド信号処理部３３２の構成のうち、制御チャネルの検出に関わる構成例を示す図である。
【００３０】
図１に示したベースバンド信号処理部３３２には図２に示すように、E-DPCCH逆拡散/RAKE合成部１と、相関値算出部２と、制御チャネル検出判定部であるE-DPCCH検出判定部３と、信頼度算出部であるE-DPCCH信頼度算出部４とが設けられている。
【００３１】
E-DPCCH逆拡散/RAKE合成部１は、TRX３３１から出力されたE-DPCCHとE-DPDCHとが多重化された通信信号であるE-DPCHのうちE-DPCCHのベースバンド信号に対して逆拡散及びRAKE合成を実施する。
【００３２】
相関値算出部２は、逆拡散されたE-DPCCHの相関値を算出する。
【００３３】
E-DPCCH信頼度算出部４は、逆拡散されたE-DPCCHを相関値算出部２にて算出された相関値を基に、再符号化する。そして、E-DPCCHのフレームがコンプレストフレームではないと判断した場合、再符号化されたE-DPCCHと逆拡散されたE-DPCCHとをシンボル毎に比較する。また、E-DPCCHのフレームがコンプレストフレームであると判断した場合、再符号化されたE-DPCCHと逆拡散されたE-DPCCHとを、送信ギャップを除いたシンボルについてシンボル毎に比較する。そして、比較した結果を信頼度情報として出力する。
【００３４】
E-DPCCH検出判定部３は、E-DPCCH信頼度算出部４から出力された信頼度情報に基づいてE-DPCCHを検出したかどうかを判断する。
【００３５】
図３は、図２に示した構成におけるチャネル検出方法を説明するためのフローチャートである。
【００３６】
まず、相関値算出部２は、E-DPCCH逆拡散/RAKE合成部１にて逆拡散されたE-DPCCHの相関値を算出する（ステップ１０１）。
【００３７】
算出された相関値に基づいて逆拡散されたE-DPCCHをE-DPCCH信頼度算出部４が再符号化する（ステップ１０２）。
【００３８】
そして、E-DPCCH信頼度算出部４は、当該E-DPCCHのフレームがコンプレストフレームであるかどうかを判断する（ステップ１０３）。
【００３９】
当該E-DPCCHのフレームがコンプレストフレームではない（ノーマルフレームである）と判断した場合、E-DPCCH信頼度算出部４は、再符号化されたE-DPCCHと逆拡散されたE-DPCCHとを各フレームのシンボル毎に比較する（ステップ１０４）。
【００４０】
一方、ステップ１０３にて当該E-DPCCHのフレームがコンプレストフレームであると判断された場合は、E-DPCCH信頼度算出部４は、再符号化されたE-DPCCHと逆拡散されたE-DPCCHとを各フレームの送信ギャップを除いたシンボルについてシンボル毎に比較する（ステップ１０５）。
【００４１】
比較した結果を、信頼度情報としてE-DPCCH信頼度算出部４から出力する（ステップ１０６）。
【００４２】
E-DPCCH検出判定部３は、E-DPCCH信頼度算出部４から出力された信頼度情報に基づいて、E-DPCCHを検出したかどうかを判断する（ステップ１０７）。
【００４３】
これにより、コンプレストフレームを考慮して算出されたE-DPCCHの信頼度に基づいてE-DPCCHの検出が判断されるため、コンプレストモード時にもE-DPCCHの検出精度を向上させることができる。
【００４４】
図４は、図１に示したベースバンド信号処理部３３２の構成のうち、データチャネルの復号処理に関わる構成例を示す図である。
【００４５】
図１に示したベースバンド信号処理部３３２には図４に示すように、E-DPCCH逆拡散/RAKE合成部１と、相関値算出部２と、信頼度算出部であるE-DPCCH信頼度算出部４と、E-DPDCH逆拡散/RAKE合成部７と、データチャネル復号処理部であるE-DPDCH復号処理部３６１とが設けられている。
【００４６】
E-DPCCH逆拡散/RAKE合成部１は、TRX３３１から出力されたE-DPCCHとE-DPDCHとが多重化された通信信号であるE-DPCHのうちE-DPCCHのベースバンド信号に対して逆拡散及びRAKE合成を実施する。
【００４７】
E-DPDCH逆拡散/RAKE合成部７は、TRX３３１から出力されたE-DPCCHとE-DPDCHとが多重化された通信信号であるE-DPCHのうちE-DPDCHのベースバンド信号に対して逆拡散及びRAKE合成を実施する。
【００４８】
相関値算出部２は、逆拡散されたE-DPCCHの相関値を算出する。
【００４９】
E-DPCCH信頼度算出部４は、逆拡散されたE-DPCCHを相関値算出部２にて算出された相関値を基に、再符号化する。そして、E-DPCCHのフレームがコンプレストフレームではないと判断した場合、再符号化されたE-DPCCHと逆拡散されたE-DPCCHとをシンボル毎に比較する。また、E-DPCCHのフレームがコンプレストフレームであると判断した場合、再符号化されたE-DPCCHと逆拡散されたE-DPCCHとを、送信ギャップを除いたシンボルについてシンボル毎に比較する。そして、比較した結果を信頼度情報として出力する。
【００５０】
E-DPDCH復号処理部３６１は、E-DPCCH信頼度算出部４から出力された信頼度情報に基づいてE-DPDCHを復号処理する。
【００５１】
図５は、図４に示した構成における復号処理方法を説明するためのフローチャートである。
【００５２】
まず、相関値算出部２は、E-DPCCH逆拡散/RAKE合成部１にて逆拡散されたE-DPCCHの相関値を算出する（ステップ１０１）。
【００５３】
算出された相関値に基づいて逆拡散されたE-DPCCHをE-DPCCH信頼度算出部４が再符号化する（ステップ１０２）。
【００５４】
そして、E-DPCCH信頼度算出部４は、当該E-DPCCHのフレームがコンプレストフレームであるかどうかを判断する（ステップ１０３）。
【００５５】
当該E-DPCCHのフレームがコンプレストフレームではない（ノーマルフレームである）と判断した場合、E-DPCCH信頼度算出部４は、再符号化されたE-DPCCHと逆拡散されたE-DPCCHとを各フレームのシンボル毎に比較する（ステップ１０４）。
【００５６】
一方、ステップ１０３にて当該E-DPCCHのフレームがコンプレストフレームであると判断された場合は、E-DPCCH信頼度算出部４は、再符号化されたE-DPCCHと逆拡散されたE-DPCCHとを各フレームの送信ギャップを除いたシンボルについてシンボル毎に比較する（ステップ１０５）。
【００５７】
比較した結果を、信頼度情報としてE-DPCCH信頼度算出部４から出力する（ステップ１０６）。
【００５８】
ステップ１０１〜１０６までの処理は、図３に示したフローチャートを用いて説明した処理と同じである。
【００５９】
E-DPCCH信頼度算出部４から出力された信頼度情報に基づいて、E-DPDCH復号処理部３６１は、E-DPDCHの復号処理を省略する（ステップ２０７）。
【００６０】
これにより、コンプレストフレームを考慮して算出されたE-DPCCHの信頼度に基づいてE-DPDCHの復号処理が省略されるため、コンプレストモード時にも復号処理に必要なリソースを効率よく利用することが可能となる。
【００６１】
図６は、図１に示したベースバンド信号処理部３３２の一構成例を示す図である。ここでは、HSUPA（High Speed Uplink Packet Access）対応のW-CDMAの無線基地局装置における受信ベースバンド信号の復号処理を例に挙げて説明する。
【００６２】
図１に示したベースバンド信号処理部３３２には図６に示すように、E-DPCCH逆拡散/RAKE合成部１と、E-DPCCH復号処理部５と、E-DPDCH逆拡散/RAKE合成部７と、データチャネル復号処理部であるE-DPDCH復号処理部３６１と、信頼度判定部３６２と、ACK/NACK（Acknowledgment / Negative Acknowledgment）判定部１４と、E-HICH生成部１５とが設けられている。
【００６３】
さらに、E-DPDCH復号処理部３６１には、デインターリーバ&PhCH多重部８と、レートデマッチング/HARQ Functionality部９と、バッファ１０と、ターボ復号部１１と、CRC判定/削除部１２と、Iub Frame生成処理部１３とが設けられている。また、信頼度判定部３６２には、相関値算出部２と、E-DPCCH検出判定部３と、E-DPCCH信頼度算出部４と、ターボ復号実施制御部６とが設けられている。
【００６４】
E-DPCCH逆拡散/RAKE合成部１は、TRX３３１から出力されたE-DPCCHとE-DPDCHとが多重化された通信信号であるE-DPCHのうちE-DPCCHのベースバンド信号に対して逆拡散及びRAKE合成を実施する。そして、E-DPCCH逆拡散/RAKE合成部１は、RAKE合成後のシンボルデータを信頼度判定部３６２内の相関値算出部２及びE-DPCCH信頼度算出部４へ出力する。RAKE合成後のE-DPCCHシンボルデータについて、非特許文献１に、次の式が記載されている。
【００６５】
【数１】
2009065512.tif 000003
【００６６】
（式１）において、ｒk［ｎ］はＫ番目のフィンガー（合成するパスの数）の逆拡散の出力であり、ｎはシンボル値であり、Ｃkはチャネル推定値である。
【００６７】
相関値算出部２は、入力されたRAKE合成後のE-DPCCHシンボルデータを用いて、１０２４通りのパターン（１０bitのbit列）の相関値を算出し、いずれのパターンとの相関が一番強いかを判定する。相関値については、非特許文献１に、次の式が記載されている。
【００６８】
【数２】
2009065512.tif 000004
【００６９】
（式２）において、Ｓ［ｎ］はE-DPCCHチャネル符号化からの出力であり、iは１０２４通りのパターンの任意のパターンを示す指標である。相関値算出部２は、（式２）で求められる各パターンの相関値のうち相関値が一番強いパターンを特定し、そのときの相関値の強さを求める。そして、相関値が一番強いパターンの相関値の強さ、つまり相関の最大値の情報を含む相関値算出結果を、相関値算出部２は、E-DPCCH検出判定部３、E-DPCCH信頼度算出部４及びE-DPCCH復号処理部５へ出力する。
【００７０】
E-DPCCH信頼度算出部４は、相関値算出部２から出力された相関値算出結果を用いてE-DPCCHを再符号化することによりE-DPCCHのシンボルデータを生成する信頼度算出部である。
【００７１】
また、E-DPCCH信頼度算出部４は、再符号化したE-DPCCHのフレームがコンプレストモードにおけるコンプレストフレームであるかどうかを判断する。つまり、E-DPCCH信頼度算出部４は、当該フレームを送信した移動機がコンプレストモードであるかどうかを判断する。具体的には、E-DPCCH信頼度算出部４は、移動機がコンプレストモードであるかどうかを示す情報を上位装置（この場合、RNC）から受け取り、その情報と当該E-DPCCHに含まれる移動機の識別情報とに基づいて判断するものが一般的に行われている方法である。
【００７２】
また、E-DPCCH信頼度算出部４は、E-DPCCH逆拡散/RAKE合成部１から出力されたRAKE合成後のシンボルデータを入力し、双方のシンボルデータをシンボル毎に比較する。ここで、当該フレームがコンプレストフレームであるかどうかによって比較対象のシンボルデータが異なる。そして、比較した結果に基づいて、E-DPCCH信頼度算出部４は、当該E-DPCCHの信頼度を数値で示す信頼度情報を生成する。この比較方法及び信頼度情報については、後述する。
【００７３】
そして、E-DPCCH信頼度算出部４は、生成した信頼度情報をE-DPCCH検出判定部３及びターボ復号実施制御部６へ出力する。そのとき、E-DPCCH信頼度算出部４は、当該フレームがコンプレストフレームであるかどうかのモード情報も、信頼度情報と共にE-DPCCH検出判定部３及びターボ復号実施制御部６へ出力する。この出力されるモード情報は、例えば１ビットの信号で表され、「１」である場合、当該フレームがコンプレストフレームであることを示し、また「０」である場合は、当該フレームがコンプレストフレームではないノーマルフレームであることを示すものであっても良い。
【００７４】
E-DPCCH検出判定部３は、相関値算出部２から出力された相関値算出結果に基づいてSIR（信号対干渉雑音電力比）を算出する。SIRの算出については、非特許文献１に、次の式が記載されている。
【００７５】
【数３】
2009065512.tif 000005
【００７６】
（式３）において、ＭＡＸ［ｚcorr（ｉ）］は相関が一番強いパターンの相関値の強さであり、Ｐnoiseは、１チップあたりのノイズ出力である。また、E-DPCCH検出判定部３は、算出されたSIRと予め設定されたSIR閾値との大小関係を比較することにより、E-DPCCHを検出したかどうかを判断する。つまり、E-DPCCH検出判定部３は、E-DPCCHを検出したかどうかを判断する制御チャネル検出判定部である。
【００７７】
また、E-DPCCH信頼度算出部４から出力されたモード情報が、当該フレームがノーマルフレームであることを示すものである場合、E-DPCCH検出判定部３は、E-DPCCH信頼度算出部４から出力された信頼度情報と予め設定された第１の検出閾値とを比較する。そして、信頼度情報が第１の検出閾値以上である場合、E-DPCCH検出判定部３は、E-DPCCHを検出したと判断する。
【００７８】
一方、モード情報が、当該フレームがコンプレストフレームであることを示すものである場合は、E-DPCCH検出判定部３は、信頼度情報と予め設定された第２の検出閾値とを比較する。そして、信頼度情報が第２の検出閾値以上である場合、E-DPCCH検出判定部３は、E-DPCCHを検出したと判断する。ここで、第２の検出閾値と第１の検出閾値とは、同じものであっても異なるものであっても良い。また、第２の検出閾値は、第１の検出閾値に基づいて算出されるものであっても良い。この算出方法の一例については、後述する。
【００７９】
こうしてE-DPCCHを検出したかどうかを示すE-DPCCH検出情報を、E-DPCCH検出判定部３がE-DPCCH復号処理部５及びE-DPDCH復号処理部３６１の先頭の処理であるデインターリーバ&PhCH多重部８へ出力する。この出力されるE-DPCCH検出情報は、例えば１ビットの信号で表され、「１」である場合、E-DPCCHを「検出した」ことを示し、また「０」である場合は、E-DPCCHを「検出しない」ことを示すものであっても良い。
【００８０】
E-DPCCH復号処理部５は、E-DPCCH検出判定部３から出力されたE-DPCCH検出情報が「検出した」ことを示すものである場合、相関値算出部２から出力された相関値算出結果から、E-DPCCHの復号データを特定し、各情報要素であるE-TFCI（Transport Format Combination Indicator）、RSN（Retransmission Sequence Number）、Happy Bitに分離する。そして、E-DPCCH復号処理部５は、それらを後段の処理へ引き継ぐため、E-DPCCH復号結果として出力する制御チャネル復号処理部である。
【００８１】
また、E-DPCCH復号処理部５は、これらのうちE-DPDCHを用いて伝送される信号の復号処理に必要となるE-TFCIとRSNの情報を、E-DPDCH復号処理部３６１の先頭の処理であるデインターリーバ&PhCH多重部８へ出力する。
【００８２】
E-DPDCH逆拡散/RAKE合成部７は、E-DPCHのうちE-DPDCHのベースバンド信号に対して逆拡散及びRAKE合成を実施する。そして、E-DPDCH逆拡散/RAKE合成部７は、RAKE合成後のシンボルデータをE-DPDCH逆拡散/RAKE合成部７からデインターリーバ&PhCH多重部８へ出力する。
【００８３】
デインターリーバ&PhCH多重部８は、E-DPCCH検出判定部３から出力されたE-DPCCH検出情報が「検出した」ことを示すものである場合のみ、これに相当するE-DPDCH（シンボルデータ）の復号処理を行う。即ち、デインターリーバ&PhCH多重部８は、ここではデインターリーブ処理とPhCH多重処理とを実施する。そして、デインターリーバ&PhCH多重部８は、その結果のデータをレートデマッチング/HARQ Functionality部９へ出力する。このとき、デインターリーバ&PhCH多重部８は、E-DPDCHの復号処理にて必要となるT-TFCIとRSNの情報として、E-DPCCH復号処理部５から出力されたE-DPCCH復号結果としての情報を使用する。
【００８４】
レートデマッチング/HARQ Functionality部９は、入力データに対して、レートデマッチング処理、およびHARQ Functionality処理を実施し、バッファ１０へ保存する。
【００８５】
バッファ１０は、Chase Combining用のバッファである。バッファ１０は、復号特性を向上させる目的に使用される。これは、受信したE-DPDCHのCRC（Cyclic Redundancy Check）の結果がNGとなった場合であっても、当該E-DPDCHをバッファ１０に一時的に格納しておき、再送によって同じE-DPDCHを受信し、後に受信したE-DPDCHと先に受信してバッファ１０に格納されているE-DPDCHとを合成し、合成後のE-DPDCHをこれ以降の復号処理（ターボ復号など）に使用することによる。
【００８６】
また、バッファ１０は、バッファ１０の使用状況、即ち、合成に使用すべき受信データがすでにバッファ１０内にあるかどうかを示す情報をバッファ情報としてターボ復号実施制御部６へ出力する。この出力されるバッファ情報は、例えば１ビットの信号で表され、「１」である場合、データがすでにバッファ１０内にあることを示し、また「０」である場合は、データがバッファ１０内にないことを示すものであっても良い。
【００８７】
ターボ復号実施制御部６は、E-DPCCH信頼度算出部４から出力されたモード情報が、当該フレームがノーマルフレームであることを示すものである場合、E-DPCCH信頼度算出部４から出力された信頼度情報と予め設定された第１の復号処理閾値とを比較する。そして、ターボ復号実施制御部６は、信頼度情報が第１の復号処理閾値以上である場合、E-DPDCHに対してターボ復号実施有りと判断する。
【００８８】
また、ターボ復号実施制御部６は、信頼度情報が第１の復号処理閾値未満である場合は、E-DPDCHに対してターボ復号実施無しと判断する。ここで、第１の復号処理閾値は第１の検出閾値と同じ値であっても良い。
【００８９】
一方、モード情報が、当該フレームがコンプレストフレームであることを示すものである場合は、ターボ復号実施制御部６は、信頼度情報と予め設定された第２の復号処理閾値とを比較する。そして、信頼度情報が第２の復号処理閾値以上である場合、ターボ復号実施制御部６は、E-DPDCHに対してターボ復号実施有りと判断する。また、信頼度情報が第２の復号処理閾値未満である場合は、ターボ復号実施制御部６は、E-DPDCHに対してターボ復号実施無しと判断する。
【００９０】
ここで、第２の復号処理閾値は第２の検出閾値と同じ値であっても良い。また、第２の復号処理閾値と第１の復号処理閾値とは、同じものであっても異なるものであっても良い。また、第２の復号処理閾値は、第１の復号処理閾値に基づいて算出されるものであっても良い。この算出方法の一例については、後述する。
【００９１】
こうして判断した結果を示す復号制御情報を、ターボ復号実施制御部６が、ターボ復号部１１、及びACK/NACK判定部１４へ出力する。この出力される復号制御情報は、例えば１ビットの信号で表され、「１」である場合、「ターボ復号実施有り」を示し、また「０」である場合は、「ターボ復号実施無し」を示すものであっても良い。ただし、バッファ１０から出力されたバッファ情報にて、すでにバッファに合成に使用すべきデータが存在することが示されている場合には、ターボ復号部１１及びACK/NACK判定部１４は、「ターボ復号実施有り」と判断する。この理由は、受信したE-DPDCHだけで復号した場合はCRC結果がNGとなる可能性が高いものの、合成後のデータを用いて復号処理をすればCRC結果がOKとなる可能性があるためである。
【００９２】
ターボ復号部１１は、ターボ復号実施制御部６から出力された復号制御情報が、「ターボ復号実施無し」である場合、ターボ復号処理を省略する。つまり、ターボ復号部１１は、E-DPDCHのこれ以降の復号処理、即ち、CRC判定、CRC削除、およびIub Frame生成を実施しない。一方、復号制御情報が、「ターボ復号実施有り」である場合は、ターボ復号部１１は、ターボ復号を実施し、復号したE-DPDCHをCRC判定/削除部１２へ出力する。
【００９３】
CRC判定/削除部１２は、ターボ復号部１１から出力されたE-DPDCHが入力すると、CRC判定（演算）を実施する。そして、CRC判定/削除部１２は、CRCビットをE-DPDCHから削除し、CRCビット削除後のE-DPDCHをIub Frame生成処理部１３へ出力する。また、CRC判定の結果がOKかNGのいずれであるかを示す情報をCRC結果情報として、CRC判定/削除部１２がACK/NACK判定部１４へ出力する。
【００９４】
Iub Frame生成処理部１３は、CRC判定/削除部１２から出力されたE-DPDCHと、その他必要となる情報とを使用して、Iub Frameを生成する。このIub Frame生成方法については、従来行われている一般的な方法を用いることができる。
【００９５】
ACK/NACK判定部１４は、E-HICH生成部１５におけるE-HICH生成に必要な判定情報であるACK/NACK情報を生成する。ターボ復号実施制御部６から出力された復号制御情報が「ターボ復号実施無し」である場合、ACK/NACK判定部１４は、ACK/NACK情報を「NACK」とする。また、復号制御情報が「ターボ復号実施有り」である場合は、ACK/NACK判定部１４は、CRC判定/削除部１２から出力されたCRC結果情報を参照する。CRC結果情報がOKを示すものである場合、ACK/NACK判定部１４は、ACK/NACK情報を「ACK」とする。一方、CRC結果情報がNGを示すものである場合は、ACK/NACK判定部１４は、ACK/NACK情報を「NACK」する。このACK/NACK情報は、例えば１ビットの信号で表され、「１」である場合、「ACK」を示し、また「０」である場合は、「NACK」を示すものであっても良い。このACK/NACK情報をACK/NACK判定部１４からE-HICH生成部１５へ出力する。
【００９６】
E-HICH生成部１５は、ACK/NACK判定部１４から出力されたACK/NACK情報が「ACK」を示すものである場合、移動機に返信するためのE-HICH信号を生成して送出する。一方、ACK/NACK情報が「NACK」を示すものである場合、E-HICH生成部１５は、E-HICH信号を生成しない。
【００９７】
なお、本実施の形態では、本発明の特徴部分を中心に説明し、各種復号処理および処理に必要な各種情報の一般的な内容についての詳細な説明を省略する。
【００９８】
次に、本実施の形態の無線基地局装置の特徴となる処理部の動作を説明する。
【００９９】
まず、図６に示したE-DPCCH信頼度算出部４の動作を説明する。
【０１００】
E-DPCCHは、インタフェース規格[3GPP TS25.212 v6.7.0の4.9 Coding for E-DPCCH]に示されるように、sub-code of the second order Reed-Muller codeが用いられており、これによりChannel Codingの機能を実現している。E-DPCCHは、一般にFHT (Fast Hadamard Transform)を用いて復号される（この復号処理は、本実施の形態では、相関値算出部２にて実施している相関値算出処理に相当する）。従って、実際の伝送路上でE-DPCCHのシンボルに若干の誤りが生じた場合であっても、誤り訂正能力が働いて正常に復号できる場合がある。復号した結果が正しいとすると、これを基に再符号化したデータは受信信号の期待値データとして使用することができる。
【０１０１】
E-DPCCH信頼度算出部４は、この期待値データと、FHT処理を実施する前のデータとを比較する。相関の最大値を用いて再符号化したE-DPCCHと相関値算出前のE-DPCCHとについて各シンボルの値が一致するかどうかを比較する。このとき、E-DPCCH信頼度算出部４から出力されたモード情報に基づいて比較対象となる比較対象シンボルを決定する。
【０１０２】
モード情報が、当該フレームがノーマルフレームであることを示すものである場合、E-DPCCHの全シンボルが比較対象シンボルとなる。一方、モード情報が、当該フレームがコンプレストフレームであることを示すものである場合は、E-DPCCHのシンボルのうち送信ギャップを除いたシンボルが比較対象となる。ここで、E-DPCCHのシンボルのうち、どの部分が送信ギャップであるかを示す情報については、従来と同様にコンプレストモードの制御に関する情報として移動機から送信されてくる。
【０１０３】
比較対象となったシンボルをシンボル毎に比較した後、比較対象のシンボル数に対する一致するシンボル数の割合を信頼度情報として算出する。算出された信頼度情報の値が大きいほど信頼度が高いことを意味する。
【０１０４】
また、E-DPDCHの復号処理は、E-DPCCHの復号結果から得られる情報(T-TFCI, RSN)を基に実施されるため、E-DPCCHの復号が誤っている場合は、E-DPDCHの復号結果も誤る場合が多いと考えられる。また、インタフェース規格[3GPP TS25.213 v6.5.0の4.2.1.3 E-DPDCH/ E-DPCCH]に示されるように、E-DPCCHとE-DPDCHとはUpLinkではI/Qに多重される信号であることから、E-DPCCHの信頼度が低い場合には、同様にE-DPDCHも信頼度が低いと判断することができる。
【０１０５】
次に、E-DPCCH検出判定部３の動作を説明する。
【０１０６】
図７は、図６に示したE-DPCCH検出判定部３の動作手順を説明するためのフローチャートである。
【０１０７】
まず、E-DPCCH検出判定部３は、相関値算出部２から出力された相関値算出結果を受け取ると、相関の最大値を用いてSIRの算出を行う（ステップ４０１）。ここでは、SIRの算出方法として、上述した（式３）を使用する。
【０１０８】
続いて、E-DPCCH検出判定部３は、算出したSIRが予め設定されたSIR閾値である閾値A以上であるかどうかを判断する（ステップ４０２）。
【０１０９】
ステップ４０２にてSIRが閾値A以上であると判断した場合、E-DPCCH検出判定部３は、E-DPCCH信頼度算出部４から出力されたモード情報が、当該フレームがノーマルフレームであることを示すものであるかコンプレストフレームであることを示すものであるかを判断する（ステップ４０３）。
【０１１０】
ステップ４０３にてモード情報が、当該フレームがノーマルフレームであることを示すものであると判断した場合、E-DPCCH検出判定部３は、E-DPCCH信頼度算出部４から出力された信頼度情報の値が予め設定された第１の検出閾値である閾値B以上であるかどうかを判断する（ステップ４０４）。
【０１１１】
一方、ステップ４０３にてモード情報が、当該フレームがコンプレストフレームであることを示すものであると判断した場合は、E-DPCCH検出判定部３は、信頼度情報の値が予め設定された第２の検出閾値である閾値B'以上であるかどうかを判断する（ステップ４０６）。
【０１１２】
ステップ４０４にて信頼度情報が閾値B以上であると判断した場合、またはステップ４０６にて信頼度情報が閾値B'以上であると判断した場合、E-DPCCH検出判定部３は、E-DPCCH検出情報を「検出した」とする（ステップ４０５）。このケースは、E-DPCCH検出条件であるSIRと信頼度情報との両方が共に基準値を満たしている（閾値以上である）ために、E-DPCCH検出判定部３がE-DPCCHを検出したと判断するものである。
【０１１３】
一方、ステップ４０２にてSIRが閾値A以上ではないと判断した場合、またはステップ４０４にて信頼度情報が閾値B以上ではないと判断した場合、またはステップ４０６にて信頼度情報が閾値B'以上ではないと判断した場合は、E-DPCCH検出判定部３は、E-DPCCH検出情報を「検出しない」とする（ステップ４０７）。これらのケースは、E-DPCCH検出条件である、SIRと信頼度情報との少なくとも一方が基準値を満たしていない（閾値以上ではない）ために、E-DPCCH検出判定部３がE-DPCCHを不検出と判断するものである。これにより、SIRの大小関係のみで判断するよりも、E-DPCCHを検出したかどうかの検出精度を向上させることができる。
【０１１４】
次に、ターボ復号実施制御部６及びACK/NACK判定部１４の動作を説明する。
【０１１５】
図８は、図６に示したターボ復号実施制御部６及びACK/NACK判定部１４の動作手順を説明するためのフローチャートである。
【０１１６】
まず、ターボ復号実施制御部６は、バッファ１０から出力されたバッファ情報を参照して、バッファ１０にデータがあるかどうか判断する（ステップ５０１）。
【０１１７】
ステップ５０１にてバッファ１０にデータが無いと判断した場合、ターボ復号実施制御部６は、E-DPCCH信頼度算出部４から出力されたモード情報が、当該フレームがノーマルフレームであることを示すものであるかコンプレストフレームであることを示すものであるかを判断する（ステップ５０２）。
【０１１８】
ステップ５０２にてモード情報が、当該フレームがノーマルフレームであることを示すものであると判断した場合、ターボ復号実施制御部６は、E-DPCCH信頼度算出部４から出力された信頼度情報の値が予め設定された第１の復号処理閾値である閾値C以上であるかどうかを判断する（ステップ５０３）。
【０１１９】
一方、ステップ５０２にてモード情報が、当該フレームがコンプレストフレームであることを示すものであると判断した場合は、ターボ復号実施制御部６は、信頼度情報の値が予め設定された第２の復号処理閾値である閾値C'以上であるかどうかを判断する（ステップ５０５）。
【０１２０】
また、ステップ５０１にてバッファ１０にデータがあると判断した場合は、ターボ復号実施制御部６は、復号制御情報を「ターボ復号実施有り」とする（ステップ５０４）。
【０１２１】
また、ステップ５０３にて信頼度情報の値が閾値C以上であると判断された場合、またはステップ５０５にて信頼度情報の値が閾値C'以上であると判断された場合も、ステップ５０４にて復号制御情報を「ターボ復号実施有り」とする。
【０１２２】
「ターボ復号実施有り」となった復号制御情報をターボ復号実施制御部６からACK/NACK判定部１４へ出力すると、ACK/NACK判定部１４は、ACK/NACK判定にCRC判定/削除部１２から出力されたCRC結果情報を採用する（ステップ５０５）。つまり、バッファ１０にデータがある場合は、今回処理するデータを、既にバッファ１０にあるデータに合成することによりCRC結果がOKとなる可能性があることから、その後の復号処理が続けられる。即ち、ターボ復号処理が実施されることとする。
【０１２３】
この場合、ACK/NACK判定部１４は、ACK/NACK判定情報をこの時点では判断せずに、CRC結果情報を採用する。また、バッファ１０にデータが無い場合は、今回処理するデータにてACK/NACK判定を実施すべきケースである。E-DPCCHの信頼度が高い場合には、E-DPDCHの復号結果が「CRC結果=OK」となる可能性がある。そのため、実際に復号処理が実施され、CRC結果をみてACK/NACKが判断される。
【０１２４】
一方、ステップ５０３にて信頼度情報の値が閾値C以上ではないと判断された場合、またはステップ５０５にて信頼度情報の値が閾値C'以上ではないと判断された場合は、ターボ復号実施制御部６は、復号制御情報を「ターボ復号実施無し」とする（ステップ５０６）。
【０１２５】
「ターボ復号実施無し」となった復号制御情報をターボ復号実施制御部６からACK/NACK判定部１４へ出力すると、ACK/NACK判定部１４は、ACK/NACK情報を「NACK」とする（ステップ５０７）。このケースは、バッファ１０にデータが無いため、今回処理するデータにてACK/NACK判定を実施すべきケースである。しかし、E-DPCCHの信頼度が低いためにE-DPDCHの復号結果もCRC結果がNGとなる可能性が高いと予想される。そのため、ターボ復号が実施されずに復号処理が省略され、ACK/NACK情報が「NACK」と判定される。
【０１２６】
このように、ノーマルモード時に信頼度情報の値が閾値Cよりも小さな場合、またはコンプレストモード時に信頼度情報の値が閾値C'よりも小さな場合、その後のE-DPDCHの復号、即ちターボ復号以降の復号処理を省略することにより、復号処理に必要なベースバンドリソースの使用量を削減する。その結果、もって復号処理の効率を向上させることができる。
【０１２７】
本実施の形態の無線基地局装置は、E-DPCCHの相関値算出結果を用いてE-DPCCHを再符号化して期待値データを算出し、期待値データと受信信号のE-DPCCHとを比較することによりE-DPCCHの信頼度情報を算出している。
【０１２８】
そして、算出された信頼度情報を、E-DPCCHの検出処理における検出条件に加えることにより、検出精度を向上させる効果が発生する。つまり、誤検出、即ち、UEからE-DPCCHが送信されていないにも関わらず、Node-B側で誤ってE-DPCCHを検出してしまうことを少なくする効果がある。
【０１２９】
また、信頼度情報を、E-DPDCHのターボ復号以降の復号処理を実施するか否かの判断条件に使用する。それにより、E-DPCCHの信頼度が低い場合にはE-DPDCHの復号処理を省略する。その結果、復号処理に使用するリソースを効率良く使用できる効果がある。つまり、例えば、ターボ復号器のリソース使用を減らすことにより、他のユーザの復号処理をより速く実施することが可能となる。それにより、UpLink信号のNode-B内処理遅延を低減する効果や、デバイスからの発熱や消費電力を削減する効果がある。
【０１３０】
ここで、E-DPDCHは、DPDCHよりもレートの高い信号であるため、復号処理において、一般に復号処理に使用するベースバンドリソース、例えば、ターボ復号器の使用率なども高くなる。このため、上り信号であるUpLink信号(DPCH、E-DPCH、RACHなどを用いて伝送された信号)の復号後のIub FP Frame送信の遅延時間削減の目的、及びハードウェアデバイスの電力消費を削減する目的のためにも、ベースバンドリソースの有効利用が望まれている。
【０１３１】
そこで、上述した復号処理方法を用いることにより、ターボ復号処理自体を省略することができ、それにより、ベースバンドリソースの有効利用が実現できる。
【０１３２】
これらの効果はそれぞれ独立したものであり、どちらか一方のみを実施しても、その効果を発揮することは言うまでもない。
【０１３３】
本発明では、受信するE-DPCCHと、E-DPCCHの相関値算出結果を用いて再符号化したE-DPCCHとを比較する。比較した結果として、E-DPCCHの信頼度情報を算出する。そして、信頼度情報とE-DPDCHを復号処理するかどうかの判断基準となる第１〜２の復号処理閾値との関係を用いることにより、E-DPDCHの復号処理効率を向上させることが可能となる。
【０１３４】
また、この信頼度情報とE-DPCCHを検出したかどうかの判断基準となる第１〜２の検出閾値との関係をE-DPCCHを検出する条件として用いることにより、E-DPCCHの検出精度を向上させる。これにより、E-DPCCHの復号処理効率も向上させることが可能となり、且つ信頼度の高いE-DPCCHを用いたE-DPDCHの復号処理が可能となる。
【０１３５】
なお、上述した閾値Bと閾値B'とについては、同じ値を用いるものであってもかまわない。また、上述した閾値Cと閾値C' とについても同様に、同じ値を用いるものであってもかまわない。
【０１３６】
また、E-DPCCH信頼度算出部4にて再符号化したE-DPCCHのシンボルと相関値算出前のE-DPCCHのシンボルとを比較して一致するシンボル数を信頼度情報とするものであっても良い。この場合、閾値B、B'、C、C'についても、シンボル数を用いた閾値となる。また、この場合、信頼度を算出する際に、閾値BまたはCに基づいて、閾値B'またはC'を算出するものであっても良い。例えば、コンプレストフレームであると判断した場合、[閾値B']＝[閾値B]×（[コンプレストフレーム時の実際の送信シンボル数]/[ ノーマルフレーム時の送信シンボル数]）、または[閾値C']＝[閾値C]×（[コンプレストフレーム時の実際の送信シンボル数]/[ ノーマルフレーム時の送信シンボル数]）として算出するものであっても良い。ここで、[コンプレストフレーム時の実際の送信シンボル数]とは、送信ギャップであるgap区間を除いた実際の送信シンボル数である。
【０１３７】
図９は、ノーマルモードにおいて、受信したE-DPCCHから期待値データを生成する過程を模式的に示す図である。また、図１０は、コンプレストモードにおいて、受信したE-DPCCHから期待値データを生成する過程を模式的に示す図である。ここで、E-DPCCHは、１シンボル=１ビットである。また、期待値データとは上述したように、相関値算出部２から出力された相関値算出結果をE-DPCCH信頼度算出部４において再符号化したものである。
【０１３８】
コンプレストフレームの場合は、図９に示すように全シンボルを比較対象シンボルにするのではなく、図１０に示すように送信ギャップ（Transmission Gap）を除いたシンボルを比較対象シンボルとする。一致するシンボル数を用いて信頼度を算出する場合、図１０に示した閾値Y'は図９に示した閾値Yを用いて、Y'=Y×(80/150)としても良い。
【０１３９】
なお、図６に示す各部の処理は、目的に応じて作製された論理回路で行うようにしても良い。また、処理内容を記述したプログラムを無線基地局装置３００にて読取可能な記録媒体に記録し、この記録媒体に記録されたプログラムを無線基地局装置３００に読み込ませ、実行するものであっても良い。無線基地局装置３００にて読取可能な記録媒体とは、フロッピーディスク（登録商標）、光磁気ディスク、DVD、CDなどの移設可能な記録媒体の他、無線基地局装置３００に内蔵されたHDD等を指す。この記録媒体に記録されたプログラムは、無線基地局装置３００内のCPU（不図示）にて読み込まれ、CPUの制御によって、上述したものと同様の処理が行われる。ここで、CPUは、プログラムが記録された記録媒体から読み込まれたプログラムを実行するコンピュータとして動作するものである。
【図面の簡単な説明】
【０１４０】
【図１】本発明の無線基地局装置の実施の一形態を示す図である。
【図２】図１に示したベースバンド信号処理部の構成のうち、制御チャネルの検出に関わる構成例を示す図である。
【図３】図２に示した構成におけるチャネル検出方法を説明するためのフローチャートである。
【図４】図１に示したベースバンド信号処理部の構成のうち、データチャネルの復号処理に関わる構成例を示す図である。
【図５】図４に示した構成における復号処理方法を説明するためのフローチャートである。
【図６】図１に示したベースバンド信号処理部の一構成例を示す図である。
【図７】図６に示したE-DPCCH検出判定部の動作手順を説明するためのフローチャートである。
【図８】図６に示したターボ復号実施制御部及びACK/NACK判定部の動作手順を説明するためのフローチャートである。
【図９】ノーマルモードにおいて、受信したE-DPCCHから期待値データを生成する過程を模式的に示す図である。
【図１０】コンプレストモードにおいて、受信したE-DPCCHから期待値データを生成する過程を模式的に示す図である。
【符号の説明】
【０１４１】
１    E-DPCCH逆拡散/RAKE合成部
２    相関値算出部
３    E-DPCCH検出判定部
４    E-DPCCH信頼度算出部
５    E-DPCCH復号処理部
６    ターボ復号実施制御部
７    E-DPDCH逆拡散/RAKE合成部
８    デインターリーバ&PhCH多重部
９    レートデマッチング/HARQ Functionality部
１０    バッファ
１１    ターボ復号部
１２    CRC判定/削除部
１３    Iub Frame生成処理部
１４    ACK/NACK判定部
１５    E-HICH生成部
３００    無線基地局装置
３０１    アンテナ
３０２    AMP
３０３    無線変調部
３３１    TRX
３３２    ベースバンド信号処理部
３３３    IPインタフェース部
３６１    E-DPDCH復号処理部
３６２    信頼度判定部
【図１】
2009065512.tif 000006
【図２】
2009065512.tif 000007
【図３】
2009065512.tif 000008
【図４】
2009065512.tif 000009
【図５】
2009065512.tif 000010
【図６】
2009065512.tif 000011
【図７】
2009065512.tif 000012
【図８】
2009065512.tif 000013
【図９】
2009065512.tif 000014
【図１０】
2009065512.tif 000015